(57)【特許請求の範囲】
【請求項１】
空気調和機の利用側装置と、端末と、管理サーバと、を含むシステムであって、
前記端末は、
所定の物件に設置された利用側装置を特定するための第１情報を管理サーバへ送信し、
前記管理サーバは、
所定の物件に設置される利用側装置の情報である第２情報が記憶されており、
前記端末から受信した前記第１情報と前記第２情報とに基づいて、前記所定の物件に設置された利用側装置が前記所定の物件に設置される利用側装置と一致するか否かを判断する、システム。
【請求項２】
前記管理サーバは、
前記所定の物件に設置された利用側装置が前記所定の物件に設置される利用側装置と一致しない場合、エラーを前記端末へ送信する、請求項１に記載のシステム。
【請求項３】
前記システムは、前記利用側装置に接続されているリモートコントローラをさらに含み、
前記リモートコントローラは、
前記利用側装置を特定するための情報を前記利用側装置から受信し、
前記受信した利用側装置を特定するための情報を前記端末へ送信し、
前記端末は、
前記利用側装置を特定するための情報を前記リモートコントローラから受信し、前記第１情報を生成する、請求項１または２に記載のシステム。
【請求項４】
前記利用側装置を特定するための情報は、前記利用側装置の機器ＩＤ、ロット番号、機種名のいずれかである、請求項３に記載のシステム。
【請求項５】
前記リモートコントローラは、複数の利用側装置に接続されている、請求項３または４に記載のシステム。
【請求項６】
前記端末は、
前記利用側装置を特定するための情報の受信後に、前記利用側装置のアドレスを前記リモートコントローラへ送信する、請求項３から５のいずれか一項に記載のシステム。
【請求項７】
前記端末は、
前記利用側装置のアドレスをユーザが設定するための画面を表示し、
前記画面では、設定済みのアドレスの表示形体と未設定のアドレスの表示形体とを異ならせて表示する、請求項６に記載のシステム。
【請求項８】
管理サーバが実行する方法であって、
所定の物件に設置された利用側装置を特定するための第１情報を端末から受信するステップと、
前記端末から受信した前記第１情報と、前記管理サーバに記憶されている所定の物件に設置される利用側装置の情報である第２情報とに基づいて、前記所定の物件に設置された利用側装置が前記所定の物件に設置される利用側装置と一致するか否かを判断するステップと
を含む方法。
【発明の詳細な説明】
【技術分野】
【０００１】
本開示は、空調システムおよび方法に関する。
【背景技術】
【０００２】
従来、空気調和機の施工において、施工が適切に行われたか否かのチェックシステムが開示されている（特許文献１参照）。
【先行技術文献】
【特許文献】
【０００３】
【特許文献１】特開２０１６−１９１５１９号公報
【発明の概要】
【発明が解決しようとする課題】
【０００４】
しかしながら、特許文献１では、作業者が確認項目のチェックボックスにチェックマークを付しているに過ぎず、実際に空気調和機が正しく設置されているか否かを判断することはできなかった。本開示では、空気調和機の設置の適否を判断することを目的とする。
【課題を解決するための手段】
【０００５】
本開示の第１の態様によるシステムは、
空気調和機の利用側装置と、端末と、管理サーバと、を含むシステムであって、
前記端末は、
所定の物件に設置された利用側装置を特定するための第１情報を管理サーバへ送信し、
前記管理サーバは、
所定の物件に設置される利用側装置の情報である第２情報が記憶されており、
前記端末から受信した前記第１情報と前記第２情報とに基づいて、前記所定の物件に設置された利用側装置が前記所定の物件に設置される利用側装置と一致するか否かを判断する。
【０００６】
本開示の第１の態様によれば、空気調和機の利用側装置の設置の適否を判断することができる。
【０００７】
また、本開示の第２の態様は、第１の態様に記載のシステムであって、
前記管理サーバは、
前記所定の物件に設置された利用側装置が前記所定の物件に設置される利用側装置と一致しない場合、エラーを前記端末へ送信する。
【０００８】
本開示の第２の態様によれば、ユーザは、物件に設置されるべき利用側装置が設置されていないことを知ることができる。
【０００９】
また、本開示の第３の態様は、第１の態様または第２の態様に記載のシステムであって、
前記システムは、前記利用側装置に接続されているリモートコントローラをさらに含み、
前記リモートコントローラは、
前記利用側装置を特定するための情報を前記利用側装置から受信し、
前記受信した利用側装置を特定するための情報を前記端末へ送信し、
前記端末は、
前記利用側装置を特定するための情報を前記リモートコントローラから受信し、前記第１情報を生成する。
【００１０】
本開示の第３の態様によれば、空気調和機の利用側装置とリモートコントローラとの接続の適否を判断することができる。
【００１１】
また、本開示の第４の態様は、第３の態様に記載のシステムであって、
前記利用側装置を特定するための情報は、前記利用側装置の機器ＩＤ、ロット番号、機種名のいずれかである。
【００１２】
本開示の第４の態様によれば、端末は、空気調和機の利用側装置の機器ＩＤ、ロット番号、機種名のいずれかに基づいて、リモートコントローラに接続されている利用側装置を特定することができる。
【００１３】
また、本開示の第５の態様は、第３の態様または第４の態様に記載のシステムであって、
前記リモートコントローラは、複数の利用側装置に接続されている。
【００１４】
本開示の第５の態様によれば、端末は、リモートコントローラに接続されている複数の利用側装置を特定することができる。
【００１５】
また、本開示の第６の態様は、第３の態様から第５の態様のいずれかの態様に記載のシステムであって、
前記端末は、
前記利用側装置を特定するための情報の受信後に、前記利用側装置のアドレスを前記リモートコントローラへ送信する。
【００１６】
本開示の第６の態様によれば、端末は、リモートコントローラに接続されている利用側装置を特定したうえで、空気調和機の利用側装置のアドレスをリモートコントローラに設定することができる。例えば、ユーザは、空気調和機の利用側装置の名称を入力する代わりに、リモートコントローラから取得した利用側装置を特定するための情報を用いてアドレスを設定することができる。
【００１７】
また、本開示の第７の態様は、第６の態様に記載のシステムであって、
前記端末は、
前記利用側装置のアドレスをユーザが設定するための画面を表示し、
前記画面では、設定済みのアドレスの表示形体と未設定のアドレスの表示形体とを異ならせて表示する。
【００１８】
本開示の第７の態様によれば、ユーザは、未だ設定されていないアドレスを視認することができる。
【００１９】
本開示の第８の態様による方法は、
管理サーバが実行する方法であって、
所定の物件に設置された利用側装置を特定するための第１情報を端末から受信するステップと、
前記端末から受信した前記第１情報と、前記管理サーバに記憶されている所定の物件に設置される利用側装置の情報である第２情報とに基づいて、前記所定の物件に設置された利用側装置が前記所定の物件に設置される利用側装置と一致するか否かを判断するステップと
を含む。
【図面の簡単な説明】
【００２０】
【図１】本開示の一実施形態に係る全体の構成を示す図である。
【図２】本開示の一実施形態に係る端末、リモートコントローラ、管理サーバのハードウェア構成を示す図である。
【図３】本開示の一実施形態に係る空気調和機の利用側装置を特定するための情報の取得の処理のシーケンス図である。
【発明を実施するための形態】
【００２１】
以下、図面に基づいて本開示の実施の形態を説明する。
【００２２】
＜用語の説明＞
・空気調和機の利用側装置（室内機とも呼ばれる）を特定するための情報とは、利用側装置を一意に特定するための情報（例えば、利用側装置の機器ＩＤ等）である。また、空気調和機の利用側装置を特定するための情報は、利用側装置を特定することができる種々の情報（例えば、利用側装置のロット番号、利用側装置の機種名等）であってもよい。
・空気調和機の利用側装置（室内機とも呼ばれる）のアドレスとは、空気調和機の監視システム等が利用側装置を一意に特定するための情報である。
【００２３】
＜システム構成＞
図１は、本開示の一実施形態に係る全体の構成を示す図である。空調システム１０は、端末１００と、空気調和機３００と、管理サーバ４００と、を含む。以下、それぞれについて説明する。
【００２４】
＜＜空気調和機３００＞＞
空気調和機３００は、任意の機種の空気調和機である。各空気調和機３００は、それぞれ、利用側装置（室内機とも呼ばれる）３１０と、熱源側装置（室外機とも呼ばれる）３２０と、リモートコントローラ２００と、を有する。また、各利用側装置３１０は、それぞれ、制御装置３１１を有する。制御装置３１１は、利用側装置３１０を特定するための情報をリモートコントローラ２００へ送信することができる。
【００２５】
空気調和機３００は、リモートコントローラ２００によって操作される。例えば、図１に示されるように、熱源側装置３２０に接続される複数の利用側装置３１０のうちの１つにリモートコントローラ２００が接続される。
【００２６】
なお、本明細書において、リモートコントローラ２００と利用側装置３１０とが接続されているとは、リモートコントローラ２００と利用側装置３１０とが直接接続されている場合も含むし、リモートコントローラ２００と利用側装置３１０とが他の利用側装置を介して接続されている（つまり、リモートコントローラ２００と利用側装置３１０とが直接接続されていない）場合も含む。
【００２７】
＜＜リモートコントローラ２００＞＞
リモートコントローラ２００は、１つまたは複数の空気調和機３００を操作する機器である。リモートコントローラ２００は、１つまたは複数の利用側装置３１０と配線で接続されている。なお、上述したように、リモートコントローラ２００と利用側装置３１０とが接続されているとは、リモートコントローラ２００と利用側装置３１０とが直接接続されている場合も含むし、リモートコントローラ２００と利用側装置３１０とが他の利用側装置を介して接続されている（つまり、リモートコントローラ２００と利用側装置３１０とが直接接続されていない）場合も含む。また、リモートコントローラ２００は、Bluetooth（登録商標）等を介して、端末１００とデータを送受信することができる。
【００２８】
具体的には、リモートコントローラ２００は、空気調和機３００の利用側装置３１０の制御装置３１１から、利用側装置３１０を特定するための情報を受信する。また、リモートコントローラ２００は、利用側装置３１０から受信した利用側装置３１０を特定するための情報を、端末１００へ送信する。
【００２９】
＜＜端末１００＞＞
端末１００は、例えば、スマートフォン、タブレット、パーソナルコンピュータ等の機器である。端末１００は、Bluetooth等を介して、リモートコントローラ２００とデータを送受信することができる。また、端末１００は、３Ｇ／４Ｇ／５Ｇ等の無線通信システム等を介して、管理サーバ４００とデータを送受信することができる。
【００３０】
具体的には、端末１００は、リモートコントローラ２００から、リモートコントローラ２００に接続されている利用側装置３１０を特定するための情報を受信する。また、端末１００は、リモートコントローラ２００から受信した利用側装置３１０を特定するための情報を管理サーバ４００へ送信する。
【００３１】
＜＜管理サーバ４００＞＞
管理サーバ４００は、各物件（例えば、各建物、建物内の各フロア等）に設置される利用側装置の情報を管理するサーバである。管理サーバ４００は、リモートコントローラ２００に接続されている利用側装置３１０を特定するための情報を端末１００から受信して、空気調和機３００の利用側装置３１０とリモートコントローラ２００とが正しく接続されているか否かを判断する。
【００３２】
＜端末１００、リモートコントローラ２００、管理サーバ４００のハードウェア構成＞
図２は、本開示の一実施形態に係る端末１００、リモートコントローラ２００、管理サーバ４００のハードウェア構成を示す図である。端末１００、リモートコントローラ２００、管理サーバ４００は、ＣＰＵ（Central Processing Unit）１００１、ＲＯＭ（Read Only Memory）１００２、ＲＡＭ（Random Access Memory）１００３を有する。ＣＰＵ１００１、ＲＯＭ１００２、ＲＡＭ１００３は、いわゆるコンピュータを形成する。
【００３３】
また、端末１００、リモートコントローラ２００、管理サーバ４００は、補助記憶装置１００４、表示装置１００５、操作装置１００６、Ｉ／Ｆ（Interface）装置１００７、ドライブ装置１００８を有することができる。なお、端末１００、リモートコントローラ２００、管理サーバ４００の各ハードウェアは、バスＢを介して相互に接続されている。
【００３４】
ＣＰＵ１００１は、補助記憶装置１００４にインストールされている各種プログラムを実行する演算デバイスである。
【００３５】
ＲＯＭ１００２は、不揮発性メモリである。ＲＯＭ１００２は、補助記憶装置１００４にインストールされている各種プログラムをＣＰＵ１００１が実行するために必要な各種プログラム、データ等を格納する主記憶デバイスとして機能する。具体的には、ＲＯＭ１００２はＢＩＯＳ（Basic Input/Output System）やＥＦＩ（Extensible Firmware Interface）等のブートプログラム等を格納する、主記憶デバイスとして機能する。
【００３６】
ＲＡＭ１００３は、ＤＲＡＭ（Dynamic Random Access Memory）やＳＲＡＭ（Static Random Access Memory）等の揮発性メモリである。ＲＡＭ１００３は、補助記憶装置１００４にインストールされている各種プログラムがＣＰＵ１００１によって実行される際に展開される作業領域を提供する、主記憶デバイスとして機能する。
【００３７】
補助記憶装置１００４は、各種プログラムや、各種プログラムが実行される際に用いられる情報を格納する補助記憶デバイスである。
【００３８】
表示装置１００５は、端末１００、リモートコントローラ２００、管理サーバ４００の内部状態等を表示する表示デバイスである。
【００３９】
操作装置１００６は、端末１００、リモートコントローラ２００、管理サーバ４００のユーザが端末１００、リモートコントローラ２００、管理サーバ４００に対して各種指示を入力する入力デバイスである。
【００４０】
Ｉ／Ｆ装置１００７は、ネットワークに接続し、端末１００、リモートコントローラ２００、管理サーバ４００等と通信を行うための通信デバイスである。
【００４１】
ドライブ装置１００８は記憶媒体１００９をセットするためのデバイスである。ここでいう記憶媒体１００９には、ＣＤ−ＲＯＭ、フレキシブルディスク、光磁気ディスク等のように情報を光学的、電気的あるいは磁気的に記録する媒体が含まれる。また、記憶媒体１００９には、ＲＯＭ、フラッシュメモリ等のように情報を電気的に記録する半導体メモリ等が含まれていてもよい。
【００４２】
なお、補助記憶装置１００４にインストールされる各種プログラムは、例えば、配布された記憶媒体１００９がドライブ装置１００８にセットされ、該記憶媒体１００９に記録された各種プログラムがドライブ装置１００８により読み出されることでインストールされる。あるいは、補助記憶装置１００４にインストールされる各種プログラムは、Ｉ／Ｆ装置１００７を介して、ネットワークよりダウンロードされることでインストールされてもよい。
【００４３】
＜端末１００＞
以下、端末１００が実行する処理について説明する。具体的には、端末１００のＣＰＵ１００１がプログラムを実行することによって、以下の処理が行われる。
【００４４】
端末１００は、リモートコントローラ２００に接続されている利用側装置３１０を特定するための情報（例えば、利用側装置３１０の機器ＩＤ等）を、リモートコントローラ２００から受信する。端末１００は、リモートコントローラ２００から受信した利用側装置３１０を特定するための情報（例えば、利用側装置３１０の機器ＩＤ等）を表示することができる。
【００４５】
端末１００は、空気調和機３００の利用側装置３１０のアドレスをユーザが設定するための画面を表示する。なお、この画面では、設定済みのアドレスの表示形体と未設定のアドレスの表示形体とを異ならせて（例えば、グレーアウトやハイライト等）表示するようにしてもよい。ユーザは、この画面上で、利用側装置３１０のアドレスを設定する。端末１００は、ユーザによって設定された利用側装置３１０のアドレスをリモートコントローラ２００へ送信する。
【００４６】
端末１００は、所定の物件に設置された利用側装置３１０を特定するための第１情報を管理サーバ４００へ送信する。具体的には、端末１００は、リモートコントローラ２００に接続されている利用側装置３１０を特定するための情報（例えば、利用側装置３１０の機器ＩＤ等）を、リモートコントローラ２００から受信する。端末１００は、リモートコントローラ２００から受信した利用側装置３１０を特定するための情報に基づいて、所定の物件に設置された利用側装置３１０を特定するための情報（第１情報ともいう）を生成する。端末１００は、所定の物件に設置された利用側装置３１０を特定するための第１情報、および、物件を特定するための情報、を管理サーバ４００へ送信して、リモートコントローラ２００に接続されるべき利用側装置３１０が正しく接続されているか否かを判断するよう要求する。端末１００は、両者が一致しない場合にエラーを管理サーバ４００から受信して、そのエラーを表示等することができる。
【００４７】
＜リモートコントローラ２００＞
以下、リモートコントローラ２００が実行する処理について説明する。具体的には、リモートコントローラ２００のＣＰＵ１００１がプログラムを実行することによって、以下の処理が行われる。
【００４８】
リモートコントローラ２００は、リモートコントローラ２００に接続されている利用側装置３１０の制御装置３１１から、利用側装置３１０を特定するための情報（例えば、利用側装置３１０の機器ＩＤ等）を受信する。
【００４９】
リモートコントローラ２００は、利用側装置３１０の制御装置３１１から受信した利用側装置３１０を特定するための情報（例えば、利用側装置３１０の機器ＩＤ等）を、端末１００へ送信する。
【００５０】
リモートコントローラ２００は、ユーザが端末１００で設定した利用側装置３１０のアドレスを設定する。具体的には、リモートコントローラ２００は、利用側装置３１０のアドレスを端末１００から受信して、その利用側装置３１０のアドレスをリモートコントローラ２００内に記憶させる。
【００５１】
＜管理サーバ４００＞
以下、管理サーバ４００が実行する処理について説明する。具体的には、管理サーバ４００のＣＰＵ１００１がプログラムを実行することによって、以下の処理が行われる。
【００５２】
管理サーバ４００には、所定の物件に設置される利用側装置の情報（第２情報ともいう）が記憶されている。具体的には、管理サーバ４００の補助記憶装置１００４等には、各物件（例えば、各建物、建物内の各フロア等）に設置される利用側装置の情報（例えば、利用側装置の機器ＩＤ、利用側装置のロット番号、利用側装置の機種名等）が記憶されている。つまり、物件ごとに、その物件に設置されるべき１つまたは複数の利用側装置を特定するための情報（例えば、利用側装置の機器ＩＤ、利用側装置のロット番号、利用側装置の機種名等）が管理されている。
【００５３】
管理サーバ４００は、所定の物件に設置された利用側装置３１０を特定するための第１情報を端末１００から受信する。また、管理サーバ４００は、物件を特定するための情報を端末１００から受信する。
【００５４】
管理サーバ４００は、端末１００から受信した第１情報と第２情報とに基づいて、所定の物件に設置された利用側装置３１０が所定の物件に設置される利用側装置３１０と一致するか否かを判断する。つまり、管理サーバ４００は、リモートコントローラ２００に接続されている利用側装置３１０と、所定の物件に設置される利用側装置と、が一致するか否かを判断する。具体的には、管理サーバ４００は、端末１００から受信した物件を特定するための情報に基づいて、管理サーバ４００の補助記憶装置１００４等に記憶されているその物件に設置される利用側装置の情報を参照する。また、管理サーバ４００は、端末１００から受信した利用側装置３１０を特定するための情報（例えば、利用側装置３１０の機器ＩＤ等）と、管理サーバ４００の補助記憶装置１００４等で参照したその物件に設置される利用側装置の情報（例えば、利用側装置の機器ＩＤ等）と、を照合する。
【００５５】
管理サーバ４００は、両者が一致する場合には、リモートコントローラ２００に接続されるべき利用側装置３１０が正しく接続されていると判断する。また、管理サーバ４００は、両者が一致しない場合には、リモートコントローラ２００に接続されるべき利用側装置３１０が正しく接続されていない（つまり、接続されるべき利用側装置３１０が接続されていない、あるいは、接続されるべきでない利用側装置３１０が接続されている等）と判断する。
【００５６】
管理サーバ４００は、両者が一致しないと判断された場合、エラーを端末１００へ送信する。具体的には、管理サーバ４００は、リモートコントローラ２００に接続されている利用側装置３１０と、所定の物件に設置されている利用側装置と、が一致しない場合、エラーを端末１００へ送信する。
【００５７】
＜処理方法＞
図３は、本開示の一実施形態に係る空気調和機３００の利用側装置３１０を特定するための情報の取得の処理のシーケンス図である。ユーザ５００（例えば、空気調和機３００の利用側装置３１０およびリモートコントローラ２００が設置された現場で空気調和機３００のリモートコントローラ２００に設定作業を行う者）が、端末１００を操作するものとする。
【００５８】
以下、＜＜利用側装置３１０を特定するための情報の取得＞＞、＜＜アドレス設定＞＞、＜＜接続ミス確認＞＞の処理に分けて説明する。なお、＜＜利用側装置３１０を特定するための情報の取得＞＞の処理の後に＜＜アドレス設定＞＞の処理のみが行われてもよいし、＜＜利用側装置３１０を特定するための情報の取得＞＞の処理の後に＜＜接続ミス確認＞＞の処理のみが行われてもよい。また、＜＜利用側装置３１０を特定するための情報の取得＞＞、＜＜アドレス設定＞＞、＜＜接続ミス確認＞＞の順に処理が行われてもよいし、＜＜利用側装置３１０を特定するための情報の取得＞＞、＜＜接続ミス確認＞＞、＜＜アドレス設定＞＞の順に処理が行われてもよい。
【００５９】
＜＜利用側装置３１０を特定するための情報の取得＞＞
ステップ１１（Ｓ１１）において、本開示の一実施形態に係るプログラム（例えば、端末１００にインストールされているスマートフォンアプリケーション）へのユーザ５００のログインが実行されたものとする。
【００６０】
ステップ１２（Ｓ１２）において、利用側装置３１０の制御装置３１１は、自身を特定するための情報（例えば、利用側装置３１０の機器ＩＤ等）をリモートコントローラ２００へ送信する。次に、リモートコントローラ２００は、利用側装置３１０を特定するための情報（例えば、利用側装置３１０の機器ＩＤ等）を利用側装置３１０の制御装置３１１から受信する。
【００６１】
ステップ１３（Ｓ１３）において、リモートコントローラ２００は、Ｓ１２で受信した利用側装置３１０を特定するための情報（例えば、利用側装置３１０の機器ＩＤ等）を端末１００へ送信する。次に、端末１００は、利用側装置３１０を特定するための情報（例えば、利用側装置３１０の機器ＩＤ等）をリモートコントローラ２００から受信する。
【００６２】
なお、端末１００は、リモートコントローラ２００から受信した利用側装置３１０を特定するための情報（例えば、利用側装置３１０の機器ＩＤ等）を表示する構成とすることもできる。
【００６３】
このように、本開示の一実施形態では、リモートコントローラ２００に接続されている利用側装置３１０を端末１００で特定することを容易にする。例えば、リモートコントローラ２００の表示装置２００３が文字等を表示できない仕様であっても、端末１００の表示装置１００５上に、利用側装置３１０の機器ＩＤ、ロット番号、機種名等を表示することによって、ユーザ５００は、リモートコントローラ２００に接続されている利用側装置３１０を特定することができる。
【００６４】
＜＜アドレス設定＞＞
ステップ２１（Ｓ２１）において、端末１００は、空気調和機３００の利用側装置３１０のアドレスをユーザ５００が設定するための画面を表示する。なお、この画面では、設定済みのアドレスの表示形体と未設定のアドレスの表示形体とを異ならせて（例えば、グレーアウトやハイライト等）表示するようにしてもよい。
【００６５】
ステップ２２（Ｓ２２）において、ユーザ５００は、Ｓ２１の画面上で、利用側装置３１０のアドレスを設定する。例えば、ユーザ５００は、Ｓ２１の画面上で、複数のアドレスのなかから利用側装置３１０に割り振るアドレスを選択する。
【００６６】
ステップ２３（Ｓ２３）において、端末１００は、Ｓ２２で設定されたアドレスをリモートコントローラ２００へ送信する。次に、リモートコントローラ２００は、利用側装置３１０のアドレスを端末１００から受信する。
【００６７】
ステップ２４（Ｓ２４）において、リモートコントローラ２００は、端末１００から受信した利用側装置３１０のアドレスをリモートコントローラ２００内に記憶させる。
【００６８】
このように、本開示の一実施形態では、ユーザ（例えば、空気調和機３００の利用側装置３１０およびリモートコントローラ２００が設置された現場で空気調和機３００のリモートコントローラ２００に設定作業を行う者）は、実際にリモートコントローラ２００に接続されている利用側装置３１０を特定したうえで、端末１００を用いて、利用側装置３１０のアドレスをリモートコントローラ２００に設定することができる。
【００６９】
＜＜接続ミス確認＞＞
ステップ３１（Ｓ３１）において、端末１００は、所定の物件に設置された利用側装置３１０を特定するための第１情報を管理サーバ４００へ送信する。具体的には、端末１００は、Ｓ１３で受信したリモートコントローラ２００に接続されている利用側装置３１０を特定するための情報（例えば、利用側装置３１０の機器ＩＤ等）に基づいて、所定の物件に設置された利用側装置３１０を特定するための情報（第１情報）を生成する。次に、端末１００は、所定の物件に設置された利用側装置３１０を特定するための第１情報、および、物件を特定するための情報、を管理サーバ４００へ送信する。次に、管理サーバ４００は、所定の物件に設置された利用側装置３１０を特定するための第１情報、および、物件を特定するための情報、を端末１００から受信する。
【００７０】
ステップ３２（Ｓ３２）において、管理サーバ４００は、Ｓ３１で受信した物件を特定するための情報に基づいて、補助記憶装置１００４等に記憶されているその物件に設置される利用側装置の情報を参照する。管理サーバ４００は、Ｓ３１で受信した利用側装置を特定するための情報と、補助記憶装置１００４等で参照したその物件に設置される利用側装置の情報と、を照合する。両者が一致する場合には、管理サーバ４００は、リモートコントローラ２００に接続されるべき利用側装置３１０が正しく接続されていると判断する。両者が一致しない場合には、管理サーバ４００は、リモートコントローラ２００に接続されるべき利用側装置３１０が正しく接続されていない（つまり、接続されるべき利用側装置３１０が接続されていない、あるいは、接続されるべきでない利用側装置３１０が接続されている等）と判断する。
【００７１】
上述したように、管理サーバ４００は、各物件に設置される利用側装置の情報（例えば、利用側装置の機器ＩＤ等）が記憶された補助記憶装置１００４等を有している。管理サーバ４００は、Ｓ３１で受信した利用側装置３１０を特定するための情報（例えば、利用側装置３１０の機器ＩＤ等）と、補助記憶装置１００４等に記憶されているその物件に設置される利用側装置の情報（例えば、利用側装置の機器ＩＤ等）と、を照合する。
【００７２】
ステップ３３（Ｓ３３）において、管理サーバ４００は、Ｓ３２で両者が一致しないと判断した場合、エラーを端末１００へ送信する。次に、端末１００は、管理サーバ４００から受信したエラーを表示等する。
【００７３】
このように、本開示の一実施形態では、端末１００がリモートコントローラ２００から取得した利用側装置３１０を特定するための情報（つまり、実際にリモートコントローラ２００に接続されている利用側装置３１０を特定するための情報）と、所定の物件に設置される利用側装置の情報（つまり、その物件（例えば、ユーザ５００がリモートコントローラ２００に設定作業を行っている現場）に設置されるべき利用側装置）と、を照合することによって、リモートコントローラ２００に接続されるべき利用側装置３１０が正しく接続されているか否かを判断することができる。
【００７４】
以上、実施形態を説明したが、特許請求の範囲の趣旨及び範囲から逸脱することなく、形態や詳細の多様な変更が可能なことが理解されるであろう。
【符号の説明】
【００７５】
１０  空調システム
１００  端末
２００  リモートコントローラ
３００  空気調和機
３１０  利用側装置
３１１  制御装置
３２０  熱源側装置
４００  管理サーバ
５００  ユーザ
【要約】
【課題】空気調和機の設置の適否を判断する。
【解決手段】空気調和機の利用側装置と、端末と、管理サーバと、を含むシステムであって、前記端末は、所定の物件に設置された利用側装置を特定するための第１情報を管理サーバへ送信し、前記管理サーバは、所定の物件に設置される利用側装置の情報である第２情報が記憶されており、前記端末から受信した前記第１情報と前記第２情報とに基づいて、前記所定の物件に設置された利用側装置が前記所定の物件に設置される利用側装置と一致するか否かを判断する。
【選択図】図１【図１】
0006856151.tif 000002
【図２】
0006856151.tif 000003
【図３】
0006856151.tif 000004